(57)【要約】【課題】  改善された温度調整素子および改善された温度調整装置を提案する。【解決手段】  車両用の温度調整素子が、第１のペルチェ素子層（１１０）、第２のペルチェ素子層（１１５）、第１の熱伝導流体を誘導するための第１の導電性熱伝導体層（１２０）、第２の熱伝導流体を誘導するための第２の導電性熱伝導体層（１２５）を備え、前記第１のペルチェ素子層、前記第２のペルチェ素子層、前記第１の熱伝導体層および前記第２の熱伝導体層が積層体の形態に配置されて、これにより、前記第１の熱伝導体層および／または前記第２の熱伝導体層が、前記第１のペルチェ素子層と前記第２のペルチェ素子層との間に配置されており、かつ、前記積層体の中を誘導される電流が、ペルチェ効果に基づいて前記第１の熱伝導体層と前記第２の熱伝導体層との温度調整を実施する。【選択図】  図１
2013524498.tif 000002
【特許請求の範囲】
【請求項１】
車両用の温度調整素子であって、
第１のペルチェ素子層（１１０）、
第２のペルチェ素子層（１１５）、
第１の熱伝導流体を誘導するための第１の導電性熱伝導体層（１２０）、および、
第２の熱伝導流体を誘導するための第２の導電性熱伝導体層（１２５）、
を備え、
前記第１のペルチェ素子層、前記第２のペルチェ素子層、前記第１の熱伝導体層および前記第２の熱伝導体層が積層体の形態に配置されて、これにより、前記第１の熱伝導体層および／または前記第２の熱伝導体層が、前記第１のペルチェ素子層と前記第２のペルチェ素子層との間に配置されており、かつ、前記積層体の中を誘導される電流が、ペルチェ効果に基づいて前記第１の熱伝導体層と前記第２の熱伝導体層との温度調整を実施する温度調整素子（１０５；４０５）。
【請求項２】
さらに別の第１の導電性熱伝導体層（４１５）および／またはさらに別の第２の導電性熱伝導体層（１３０）を備え、この熱伝導体層が、前記第１のペルチェ素子層（１１０）または前記第２のペルチェ素子層（１１５）のうちの少なくとも１つによって前記第１の熱伝導体層（１２０）または前記第２の熱伝導体層（１２５）から分離されて前記積層体内に配置されている、請求項１に記載の温度調整素子（１０５；４０５）。
【請求項３】
さらに別の第２の導電性熱伝導体層（１３０）を備え、前記第２の熱伝導体層（１２５）が第１の電気接点（１４５）を有し、かつ、前記さらに別の第２の熱伝導体層が第２の電気接点（１５０）を有し、前記第１のペルチェ素子層（１１０）と前記第２のペルチェ素子層（１１５）が、前記第２の熱伝導体層と前記さらに別の第２の熱伝導体層との間に配置されており、かつ、前記第１の熱伝導体層（１２０）が、前記第１のペルチェ素子層と前記第２のペルチェ素子層との間に配置されている、請求項１に記載の温度調整素子（１０５；４０５）。
【請求項４】
さらに別の第１の熱伝導体層（４１５）とさらに別の第２の熱伝導体層（１３０）とを備えており、前記第１の熱伝導体層（１２０）が第１の電気接点（１４５）を有し、かつ、前記さらに別の第１の熱伝導体層が第２の電気接点（１５０）を有し、また、前記第２の熱伝導体層（１２５）を前記さらに別の第２の熱伝導体層（１３０）に接続するための電線（４２０）を備えており、前記第１の熱伝導体層と前記第２の熱伝導体層とが、前記第１のペルチェ素子層（１１０）と前記第２のペルチェ素子層（１１５）との間に配置され、かつ、前記第１のペルチェ素子層と前記第２のペルチェ素子層とが、前記さらに別の第１の熱伝導体層と前記さらに別の第２の熱伝導体層との間に配置されており、さらに、前記第１の熱伝導体層と前記第２の熱伝導体層との間にガルバニック・熱絶縁層（４１０）が配置されている、請求項１に記載の温度調整素子（１０５；４０５）。
【請求項５】
前記第１のペルチェ素子層（１１０）が、少なくとも２つの互いに隣接し合って配置された第１のペルチェ素子導体（１３５）を有し、前記第２のペルチェ素子層（１１５）が、少なくとも２つの互いに隣接し合って配置された第２のペルチェ素子導体（１３５）を有する、請求項１〜４のいずれか１項に記載の温度調整素子（１０５；４０５）。
【請求項６】
前記第１のペルチェ素子層と前記第２のペルチェ素子層が、それぞれ少なくとも１つの第１のペルチェ素子導体と少なくとも１つの第２のペルチェ素子導体とを有し、前記第１および第２のペルチェ素子導体が、互いに隣接して配置されて導電可能に互いに接続されており、これにより、前記積層体の中を誘導される電流が、前記第１のペルチェ素子導体と前記第２のペルチェ素子導体とを連続して流通する、請求項１〜４のいずれか１項に記載の温度調整素子。
【請求項７】
前記第１の熱伝導体層（１２０）が冷却材通路として構成されており、前記第２の熱伝導体層（１２５）がフィン部材として構成されている、請求項１〜６のいずれか１項に記載の温度調整素子（１０５；４０５）。
【請求項８】
前記第１の熱伝導体層（１２０）が、外側面にガルバニック絶縁層（３０５）を有し、このガルバニック絶縁層が導体層（３１５）によって包囲されており、この導体層が、前記第１のペルチェ素子層（１１０）と前記第２のペルチェ素子層（１１５）との間に電流を流すことができるように構成されている、請求項１〜７のいずれか１項に記載の温度調整素子（１０５；４０５）。
【請求項９】
請求項３〜７のいずれか１項に記載の温度調整素子（１０５；４０５）を複数個含み、前記複数の温度調整素子が、前記それぞれの第１の接点（１４５）および第２の接点（１５０）を介して直列接続において結合されている温度調整装置（１００；２００；４００）。
【請求項１０】
前記複数の温度調整素子（１０５；４０５）のそれぞれ２つの間にガルバニック絶縁層（１４０；４１０）が配置されている、請求項８に記載の温度調整装置（１００；２００；４００）。
【請求項１１】
車両用の温度調整装置であって、以下の特徴、すなわち、
第１の熱伝導流体を誘導するための第１の熱伝導体層（１２０）、
ペルチェ素子層であって、複数のペルチェ素子（６００）を有し、これらのペルチェ素子が互いに離間して配置されてそれぞれ複数のペルチェ素子導体を含んでいるペルチェ素子層（７１０）、および、
第２の熱伝導流体を誘導するための第２の熱伝導体層（１２５）、
を備え、
前記諸層が積層体の形態に配置されて、これにより、前記ペルチェ素子層が前記第１の熱伝導体層と前記第２の熱伝導体層との間に配置されている温度調整装置（８００）。
【請求項１２】
前記複数のペルチェ素子（６００）が、前記ペルチェ素子層（７１０）の総面積の最大１０分の１を覆う、請求項１１に記載の温度調整装置。
【請求項１３】
さらに別のペルチェ素子層であって、複数のさらに別のペルチェ素子（６００）を有し、これらのペルチェ素子が互いに離間して配置されてそれぞれ複数のさらに別のペルチェ素子導体を含んでいるペルチェ素子層（７１０）と、前記第１の熱伝導流体を誘導するためのさらに別の第１の熱伝導体層（１２０）とを備え、前記さらに別のペルチェ素子層が、前記積層体において前記第２の熱伝導体層と前記さらに別の第１の熱伝導体層との間に配置されている、請求項１１または１２のいずれか１項に記載の温度調整装置。
【請求項１４】
熱絶縁層、前記第１の熱伝導流体を誘導するためのさらに別の第１の熱伝導体層（１２０）、および、さらに別のペルチェ素子層（７１０）を備え、このペルチェ素子層が、複数のさらに別のペルチェ素子（６００）を有し、これらのペルチェ素子が、互いに離間して配置されてそれぞれ複数のさらに別のペルチェ素子導体を含み、前記熱絶縁層が前記積層体において前記第２の熱伝導体層に隣接して配置されており、かつ、前記さらに別の第１の熱伝導体層が前記積層体において前記熱絶縁層と前記さらに別のペルチェ素子層との間に配置されている、請求項１１または１２のいずれか１項に記載の温度調整装置。
【請求項１５】
切り替え機構を備え、この切り替え機構が、前記第２の熱伝導流体を前記温度調整装置または温度調整素子の第１の動作モードにおいて前記第２の熱伝導体層（１２５）とさらに別の第２の熱伝導体層（１２５）との中を誘導するように、かつ、前記温度調整装置の第２の動作モードにおいて前記第２の熱伝導体層と前記さらに別の第２の熱伝導体層とのいずれか一方の中を誘導するように構成されている、請求項９〜１４のいずれか１項に記載の温度調整装置。
【発明の詳細な説明】
【技術分野】
【０００１】
本発明は、車両用、特に電気車両用またはハイブリッド車両用の温度調整素子および温度調整装置に関する。
【背景技術】
【０００２】
電気車両の場合、キャビンを加熱するために燃焼廃熱を利用することができない。電気抵抗加熱は、電池容量を著しく増大することを必要とし、これは、一般に非常に高コストである。従って、乗客の快適性を維持するための電気エネルギーの需要を低減できるように、代替的な加熱方式さらにまた冷却方式が求められている。
【０００３】
電気車両に関しては、ＰＴＣ補助ヒータまたはポジスタ補助ヒータが、ガソリン、バイオエタノール等の燃料を伴わない場合に寒冷期における乗客キャビンの加熱需要をカバーするための可能な方策である。空気側に配置されたＰＴＣ補助ヒータが、断続的な僅かな廃熱しか伴わない車両、例えば最新のディーゼル車両のコールドスタート用に既に量産されている。一実現形態は、ここでは例えば加熱体の原理に従っており、フィンの層が互いに重ね合わせて接着されて、それらの層の間にＰＴＣペレットが備えられている。この設計は、加熱体または加熱体の諸部分を包囲するフレーム、ハウジング、管等が不必要であり、接着結合を通じて、それぞれの隣接する層に連続的に材料結合により接合されているので、確かに特に簡単である。しかし、この簡単な構造様式の場合にはフィン部自体が導電性を有するので、この構造様式は、専ら低電圧用途、例えば１２Ｖ車両電源システムにのみ適している。
【０００４】
また別の方法は、ペルチェ技術を用いて加熱体を実現することである。これに関連して、例えば、ＡＣ回路を支援するための代替的な冷却機能を備えた加熱体のプロトタイプが既に提示されている。しかし、これらのプロトタイプの場合、その構造原理は比較的高コストで、立体的であるようであり、例えば大きな奥行きが必要である。熱電材料のペルチェ効果は、既にニッチ用途において冷却のために利用されており、例えば電子構成要素の冷却のためやキャンプ用クールボックスで用いられている。自動車での用途としては、これまでその効率が低すぎるとされてきた一方で、内燃機関により駆動される車両の排気管路において、熱電系によって温度差に基づき発電するという逆方向の効果が、専門業界の有名な諸製造業者によって喧伝され、量産開始に向けて発展することとなる。これまで、キャビンの空調には従来の冷凍回路が用いられ、第一世代の電気車両における加熱に関しては、電気抵抗ヒータに広く信頼が置かれてきた。
【０００５】
純粋に電気的な加熱の場合、高品質の電気エネルギーが低品質の熱エネルギーに変換される。このことに２つの考慮点が対立している。まず、例えばリチウムイオン電池を用いて蓄電容量を提供するには、約５００〜７００ユーロ／ｋＷｈが必要である。従来考えられてきたペルチェ素子を用いた技術では、電気的な直列接続において、交互にｐ型およびｎ型にドープされたチップを電気的に結合することがかなり複雑であるために、ＰＴＣ補助ヒータによって加熱する場合よりも実現するのに高いコストが必要である。また、電気絶縁体は一般に熱絶縁性も有しており、伝熱を悪化させる。熱電系は、駆動温度勾配が大きい場合、ＣＯＰあるいは効率の低減による影響を従来のヒートポンプよりも一層大きく受ける。抵抗ヒータは、単にＣＯＰ＝１を達成するにすぎず、電気車両の航続距離を著しく損なう。凍結回路は、原則として許容範囲内のＣＯＰで動作するが、多くの個別構成要素を含んでおり、また、定期的に冷媒を補充しなければならない。全体として、前記両機能の各々について、加熱のためのユニット（加熱体）と冷却のためのユニット（冷凍回路）とを別個に用意しなければならない。
【発明の概要】
【発明が解決しようとする課題】
【０００６】
本発明の課題は、改善された温度調整素子および改善された温度調整装置を提案することである。
【課題を解決するための手段】
【０００７】
この課題は、請求項１に記載の温度調整素子と請求項９に記載の温度調整装置とによって解決される。
【発明を実施するための形態】
【０００８】
本発明の根底にある認識は、それぞれ同型にドープされたペルチェ素子が隣接し合って層状に配置されるように、ペルチェ素子の直列接続に工夫を施すことにより加熱体あるいは冷却体を層構造として実現できるということである。
【０００９】
ペルチェ素子を使用する場合におけるＰＴＣペレットを使用する場合との相違は、とりわけ、２つの異型にドープされた材料、すなわちそれぞれｐ型およびｎ型にドープされた材料が互いに結合されているという点である。標準的には、ペルチェ素子によって形成される構成は、それぞれ、２つの異型にドープされたペルチェ素子の高温側と２つの異型にドープされたペルチェ素子の低温側とが導電可能に接続されているような構成であり、これにより、全体として直列の接続が生じる。しかし、この種の構成は、製造に適した加熱体あるいは冷却体に直接応用することがほとんど不可能である。なぜなら、金属導体が、２つの異型にドープされて直接的に隣接し合った素子の間にわたる連続的なブリッジを形成しないからである。中断部分は、非導電体によってしか架橋することができない。この非導電体は、両側における伝熱にとって障害となる。
【００１０】
本発明に係る方法において説明される加熱体は、電気車両のキャビンを加熱あるいは冷却することが可能な冷却機能を備え、可能な限りの僅かなコストと既に利用可能な製造技術とによって可能な限り低コストで生産することができ、しかも、伝熱を最適化することによって高い効率を有している。
【００１１】
本発明に係る加熱体は、フィン部用の容易に製造可能な中断のないブリッジと冷却水用の中断のない通路とを有することができ、これらのブリッジと通路とは、それぞれ導電体として実施されている。ペルチェ素子を液体側および／または空気側に可能な限り直接的に熱的に結合させることによって、高い伝熱を実現することができる。これが実現できる理由は、特に、熱障壁としての電気絶縁体がこの領域に存在しないという点にあると考えられる。有利には、直列接続と並列接続とからなるこの種の組み合わせは、１２Ｖに適合させることができる。空気側のフィンおよび冷却水通路への伝熱は、一実施形態では、２つの側において実施することが可能である。さらに、この種の構造は、例えばフィン間において、ここには対称条件により温度勾配が存在しないので、ガルバニック分離の熱絶縁効果が支障なく実現可能であるという利点を供する。総じて、重要な利点は、既存の製造方法に従って製造された加熱体、例えばＰＴＣ補助ヒータを備えた加熱体との相違が、同時に最適な伝熱を行いながらも、可能な限りの僅かな相違でしかないという点である。従って、最適な効率またはＣＯＰ（成績係数）が得られる。その結果、本発明に係る方法に従って設計された基本構造が供する利点として、材料結合による接合を用いた加熱体の基本構造とは実質的に２つの点で異なっている。まず第一に、冷却水通路が、加熱運転用の熱源として、または、冷却運転用のヒートシンクとして既に存在しているという点である。第二に、波形フィン間の中央に電気絶縁層が存在するという点である。従って、加熱運転用または冷却運転用のペルチェ素子を備えた本発明に係る加熱体の作動形態は、全体的な正味熱流が、垂直方向にのみ生じ、かつ、そのように解されるように構成される。
【００１２】
有利には、燃焼廃熱を伴わないＣＯＰ＞１での加熱が可能であり、かつ、冷却および加熱の機能を１つの構造に統合することが可能である。さらに、冷媒が不要となり、また、モジュール性によって層を反復して配置し、さらに１つの層内で面構造を反復することで分散化を行うことが容易となる。
【００１３】
本発明は車両用の温度調整素子を提案し、この温度調整素子は、以下の特徴、すなわち、第１のペルチェ素子層、第２のペルチェ素子層、第１の熱伝導流体を誘導するための第１の導電性熱伝導体層、および、第２の熱伝導流体を誘導するための第２の導電性熱伝導体層を有し、前記第１のペルチェ素子層、前記第２のペルチェ素子層、前記第１の熱伝導体層および前記第２の熱伝導体層が積層体の形態に配置されて、これにより、前記第１の熱伝導体層および／または前記第２の熱伝導体層が、前記第１のペルチェ素子層と前記第２のペルチェ素子層との間に配置されており、かつ、前記積層体の中を誘導される電流が、ペルチェ効果に基づいて前記第１の熱伝導体層と前記第２の熱伝導体層との温度調整を実施する。
【００１４】
前記温度調整素子は、例えば電気車両またはハイブリッド車両で用いることができ、これにより、車両の乗客コンパートメントを温度調整することができる。この場合、温度調整は、加熱および冷却のいずれをも意味することができる。前記第１のペルチェ素子層および前記第２のペルチェ素子層は、２つの異型にドープされた半導体材料で形成しておくことができる。従って、例えば、前記第１のペルチェ素子層をｎ型にドープし、前記第２のペルチェ素子層をｐ型にドープしておくこと、あるいは、逆に、前記第１のペルチェ素子層をｐ型にドープし、前記第２のペルチェ素子層をｎ型にドープしておくことが可能である。ペルチェ素子層に関して、半導体材料の代わりに他の適切な導体を用いることも可能である。前記第１および第２の導電性熱伝導体層は、良好な導電性を有する金属で形成しておくことができる。前記温度調整素子に印加された電流は、前記積層体の一端から前記温度調整素子内へ流れ込むことができ、前記積層体全体を流通した後、例えば電線に接続された適切な接点を介して、反対側の一端から再び前記積層体を出て行くことができる。前記第１および第２の導電性熱伝導体層には、それぞれ熱伝導流体が流通することができる。ペルチェ効果によって生成された温度を前記積層体内に案内された熱伝導流体へ伝達することができるように、前記第１および第２の熱伝導体層を前記積層体内において前記第１および第２のペルチェ素子層に対して配置しおくことができる。前記ペルチェ効果と前記ペルチェ素子層に対する前記熱伝導体層の配置とに従って、温度調整素子の動作時に常に前記熱伝導流体の一方が加熱され、もう一方が冷却される。前記第１および第２の熱伝導流体は、例えば、それぞれ気体または液体であってもよい。この場合、前記温度調整素子が果たすべき役割に応じて、前記熱伝導流体の一方を車両の乗客コンパートメント内へ誘導するために用いることが可能であり、これにより、乗客コンパートメントを冷却または加熱することができる。前記温度調整素子における電流の流れを逆方向にした場合、先ほど温度調整素子により加熱されていた前記熱伝導流体を今度は冷却することができる。またその逆も同様である。前記熱伝導流体を介した漏れ電流を防止するために、前記熱伝導流体と前記熱伝導流体の方を向いた前記熱伝導体層表面との間に電気絶縁部を配置しおくことが可能である。
【００１５】
一実施形態では、前記温度調整素子は、さらに別の第１の導電性熱伝導体層を含むことができ、また、追加的または代替的にさらに別の第２の導電性熱伝導体層を含むことができる。この場合、前記さらに別の第１および／または前記さらに別の第２の熱伝導体層を、前記第１または前記第２のペルチェ素子層のうちの少なくとも１つによって前記第１または前記第２の熱伝導体層から分離して前記積層体内に配置しておくことが可能である。例えば、前記積層体の構成は、前記積層体の一番下に前記さらに別の第２の熱伝導体層が存在し、この熱伝導体層上に前記第１のペルチェ素子層が配置されているような構成にしておくことができる。また、前記第１のペルチェ素子層の上には、前記第１の熱伝導体層を配置しおくことができ、この第１の熱伝導体層上には前記第２のペルチェ素子層が存在する。前記第２の熱伝導体層は、前記温度調整素子積層体の終端部を形成する。あるいは、前記積層体は、前記さらに別の第１の熱伝導体層が前記積層体の前記第１の層を形成するように構成しておくことも可能である。前記さらに別の第１の熱伝導体層上には、例えば、前記第１のペルチェ素子層、前記第２の熱伝導体層、前記第１の熱伝導体層、前記第２のペルチェ素子層および前記さらに別の第２の熱伝導体層を次々と配置しておくことができ、この場合、前記第２の熱伝導体層と前記第１の熱伝導体層との間に熱絶縁層を配置しておくことが可能である。
【００１６】
前記温度調整素子がさらに別の第２の導電性熱伝導体層を含む場合、前記第２の熱伝導体層は第１の電気接点を有することができ、前記さらに別の第２の熱伝導体層は第２の電気接点を有することができる。この場合、前記第１のペルチェ素子層と前記第２のペルチェ素子層は、前記第２の熱伝導体層と前記さらに別の第２の熱伝導体層との間に配置しておくことが可能である。前記第１の熱伝導体層は、前記第１のペルチェ素子層と前記第２のペルチェ素子層との間に配置しておくことができる。この配置では、前記第１の熱伝導体層において第１のペルチェ効果を実現することができ、これにより、前記第１の熱伝導体層を、前記積層体の中を誘導される電流の極性に応じて、加熱または冷却することが可能である。前記第１のペルチェ効果とは逆方向のさらに別のペルチェ効果に従って、前記第１の熱伝導体層が冷却されるときに前記第２の熱伝導体層を加熱することができ、あるいは、前記第１の熱伝導体層が加熱されるときに前記第２の熱伝導体層を冷却することができる。この配置は、前記個々の層の間に熱絶縁性の層を必要とせず、常に相異なるように温度調整された熱伝導体層が常にペルチェ素子層によって分離されているというさらに別の利点を供する。また、同じ種類のさらに別の温度調整素子を前記温度調整素子に積層する際、前記両温度調整素子の間にはガルバニック分離のみが必要であり、熱ガルバニック分離は不必要である。なぜなら、ここでは、２つの熱伝導体層が互いに対して隣接し合って配置されており、これらの熱伝導体層が、同一のペルチェ効果を受けることによって同じ温度を有するからである。
【００１７】
あるいは、前記温度調整素子は、さらに別の第１の熱伝導体層とさらに別の第２の熱伝導体層とを含むことが可能である。前記第１の熱伝導体層は第１の電気接点を有することができ、前記さらに別の第１の熱伝導体層は第２の電気接点を有することができる。さらに、前記温度調整素子は、前記第２の熱伝導体層を前記さらに別の第２の熱伝導体層に接続するための電線を有することができる。この場合、前記第１の熱伝導体層と前記第２の熱伝導体層とは、前記第１のペルチェ素子層と前記第２のペルチェ素子層との間に配置しておくことができ、前記第１のペルチェ素子層と前記第２のペルチェ素子層とは、前記さらに別の第１の熱伝導体層と前記さらに別の第２の熱伝導体層との間に配置しておくことが可能である。また、前記第１の熱伝導体層と前記第２の熱伝導体層との間に、ガルバニック・熱絶縁層を配置しておくことができる。この配置では、電流が、前記第１の電気接点から前記温度調整素子内へ流れ込み、そこから前記第２のペルチェ素子層、前記第２の熱伝導体層を通り、さらに電線を介して前記さらに別の第２の熱伝導体層、前記第１のペルチェ素子層を通過して、最後に前記さらに別の第１の熱伝導体層を通過する。前記第２の電気接点において前記電流を前記温度調整素子から導出でき、場合によっては、さらに別の温度調整素子の中へ誘導することが可能である。
【００１８】
また、さらに別の実施形態では、前記温度調整素子の前記様々な熱伝導体層を追加的な電線を介して互いに接続しておくことが可能である。この場合、前記追加的な電線は、それぞれ、前記温度調整素子の前記それぞれの熱伝導体層の、前記電線とは反対側の端部に配置しておくことできる。それに応じて、第１または第２の接点を備えた熱伝導体層が、それぞれ、前記追加的な電線を接続するための追加的な接点を有することが可能である。例えばケーブルを用いて電流の供給線と送出線とをこのように前記温度調整素子の左右両側に実装することで、前記温度調整素子の前記様々な熱伝導体層のブリッジまたはフィンにおける電流の強さを低減することを支援することができる。これによって、接続が一方の側だけであることで、前記熱伝導体層への流入部における電流の強さが、一列状のペルチェ素子層を通る全電流の総計の強さになることによって、時に許容外の電流密度が生じるという欠点を取り除くことができる。
【００１９】
前記第１のペルチェ素子層は、少なくとも２つの互いに隣接し合って配置された第１のペルチェ素子導体を有し、前記第２のペルチェ素子層は、少なくとも２つの互いに隣接し合って配置された第２のペルチェ素子導体を有する。前記個々のペルチェ素子の間の距離は、前記ペルチェ素子導体の熱出力に従って選定することが可能である。前記個々のペルチェ素子導体の間に、電気絶縁部を配置しておくことができる。前記ペルチェ素子層の面積に従って、それに応じた数のペルチェ素子導体を互いに隣接して配置しておくことができる。この場合、前記ペルチェ素子導体は、面状に、すなわち例えば長手方向にも横方向にも互いに並べて配置しておくことが可能である。
【００２０】
代替的な一実施形態では、前記第１のペルチェ素子層と前記第２のペルチェ素子層は、それぞれ少なくとも１つの第１のペルチェ素子導体と少なくとも１つの第２のペルチェ素子導体とを有することができる。この場合、前記第１および第２のペルチェ素子導体を、互いに隣接して配置して、導電可能に互いに接続しておくことが可能である。従って、前記積層体の中を誘導される電流は、前記第１のペルチェ素子導体と前記第２のペルチェ素子導体とを連続して流通することができる。例えば、前記第１のペルチェ素子導体をｎ型にドープしておき、前記第２のペルチェ素子導体をｐ型にドープしておくこと、または、その逆にドープしておくことが可能である。前記温度調整素子のこの実施形態は、場合によって既に存在しているプロトタイプとしての加熱素子を、ここで提案される温度調整素子の組み立てを行うためのペルチェ技術の基礎として利用できるという利点を供する。これにより、生産における時間およびコストが節約される。
【００２１】
一実施形態では、前記第１の熱伝導体層を冷却材通路として構成しておき、前記第２の熱伝導体層をフィン部材として構成しておくことが可能である。例えば、前記冷却材通路は、冷却液を案内するための管として構成しておくことができる。前記フィン部材は、例えば２つのブリッジで構成しておくことができ、これらのブリッジの間にジグザグ状または波形状に曲げられた金属帯が配置されており、これにより、例えば、前記ブリッジの間に斜めに配置されたフィンが形成される。前記第２の熱伝導流体は、例えば空気であってもよく、この空気は、車両周囲から車両内へ誘導されて前記第２の熱伝導体層の中を案内され、そこで、前記第２の熱伝導体層の温度に一致するように冷却または加熱される。前記第２の熱伝導体層のこのような構造は、有利には、前記第２の熱伝導体層の中を案内される流体のための大きな温度伝導面を提供する。また、当然ながら、前記第１の熱伝導体層を空気を案内できるように構成し、前記第２の熱伝導体層を液体を案内できるように構成しておくことも可能である。同様に、前記第１の熱伝導体層は、複数の互いに隣接して配置された冷却材通路を有することができ、前記第２の熱伝導体層は、複数の互いに隣接して配置されたフィン部材を有することができる。
【００２２】
前記第１の熱伝導体層は、外側面にガルバニック絶縁層を有することができる。このガルバニック絶縁層は導体層で包囲しておくことができ、この導体層は、前記第１のペルチェ素子層と前記第２のペルチェ素子層との間に電流を流すことができるように構成しておくことが可能である。例えば、前記第１の熱伝導体層は、全体を前記導体層で包囲しておくこと、または、前記導体層を前記第１の熱伝導体層の２つの対向する側面に付着させて電線に接続しておくことができる。このようにして、前記電流の流れが前記温度調整素子の前記積層体を通過することを保証することができ、その際、同時にまた、前記第１の熱伝導体層は電流が流れることから除外されている。従って、前記第１の熱伝導体層を流通する冷却材の中へ漏れ電流が入り込むことを回避することができる。
【００２３】
前記第１の熱伝導体層と前記第２の熱伝導体層は、前記第１の熱伝導流体と前記第２の熱伝導流体とに関して、互いに直交する流れ方向を実現するように構成しておくことが可能である。このようにすることで、前記相異なる熱伝導流体の流入部と流出部は、前記温度調整素子の相異なる側面に配置することができる。
【００２４】
本発明はさらに温度調整装置を提案し、この温度調整装置は複数の温度調整素子を含み、前記複数の温度調整素子は、前記それぞれの第１および第２の接点を介して直列接続において結合されている。
【００２５】
一実施形態では、前記複数の温度調整素子のそれぞれ２つの間にガルバニック絶縁層を配置しておくことが可能である。このようにすることで、電流の流れが前記温度調整装置の全ての温度調整素子を次々と通過することを保証できる。前記電流の流れに関する第１および最後の温度調整機構のそれぞれの接点を電流源に接続しておくことが可能である。さらに、隣接し合った温度調整素子の間に配置されたガルバニック絶縁層は、前記個々の温度調整素子の間の熱絶縁部としても利用できる。このことが重要であるのは、特に、相異なるように温度調整された２つの熱伝導体層が互いに隣接し合って前記温度調整装置内に配置されている場合である。前記温度調整素子は、前記温度調整装置内において直列接続でも並列接続でも、あるいは、混合形態でも結合しておくことが可能である。
【００２６】
前記複数の温度調整素子は、少なくとも１つの積層体内に配置しておくことができる。この場合、前記温度調整装置の寸法は、対応する個数の温度調整素子を積層することによって、および／または、前記複数の温度調整素子の前記個々の層を水平方向に拡張することによって、既存の空間的な諸事情に適合させることが可能である。当然ながら、前記温度調整装置は、複数の積層体で形成しておくことも可能であり、これらの積層体は、隣接し合うように配置されて、直列接続または並列接続において前記それぞれの接点を介して結合されている。
【００２７】
本発明はさらに車両用の温度調整装置を提案し、この温度調整装置は、以下の特徴、すなわち、第１の熱伝導流体を誘導するための第１の熱伝導体層、互いに離間して配置されてそれぞれ複数のペルチェ素子導体を含んでいる複数のペルチェ素子を有するペルチェ素子層、および、第２の熱伝導流体を誘導するための第２の熱伝導体層を備えており、この場合、前記諸層は、積層体の形態に配置されて、これにより、前記ペルチェ素子層は前記第１の熱伝導体層と前記第２の熱伝導体層との間に配置されている。前記ペルチェ素子層は、前記温度調整装置の動作時に前記第１の熱伝導体層を冷却し、かつ、前記第２の熱伝導体層を加熱するように、あるいは、その逆に動作するように構成しておくことができる。各ペルチェ素子は、個別のペルチェモジュールとして設計しておくことが可能である。これが意味することは、各ペルチェ素子が、前記ペルチェ素子の前記ペルチェ素子導体の中を流れる電流を供給および送出するための独自の電気接続部を有するということである。前記ペルチェ素子はそれぞれ基板を有し、この基板上に、専ら前記それぞれのペルチェ素子の前記ペルチェ素子導体のみが配置されている。ペルチェ素子内における隣接し合ったペルチェ素子導体間の距離は、隣接し合ったペルチェ素子間の距離よりも小さくしておくことが可能である。前記ペルチェ素子は、それぞれ、ｎ型にドープされたペルチェ素子導体およびｐ型にドープされたペルチェ素子導体のいずれをも有することができる。また、前記ペルチェ素子導体は、蒸着された導電路としてまたはファブリックとして実装しておくことも可能である。
【００２８】
ペルチェ素子層の前記複数のペルチェ素子は、前記ペルチェ素子層の総面積の最大１０分の１を覆うことが可能である。前記ペルチェ素子間に、熱絶縁された中間スペースを設けておくことができる。あるいは、前記複数のペルチェ素子導体が、前記ペルチェ素子層の総面積の最大１０分の１を覆うことができる。
【００２９】
前記温度調整装置は、一実施形態では、さらに別のペルチェ素子層であって、複数のさらに別のペルチェ素子を有し、これらのペルチェ素子が互いに離間して配置されてそれぞれ複数のさらに別のペルチェ素子導体を含んでいるペルチェ素子層と、前記第１の熱伝導流体を誘導するためのさらに別の第１の熱伝導体層とを有することができる。この場合、前記さらに別のペルチェ素子層を、前記積層体において前記第２の熱伝導体層と前記さらに別の第１の熱伝導体層との間に配置しておくことができる。このようにすることで、隣接し合った層の間に熱絶縁が必要ではなくなる。
【００３０】
あるいは、前記温度調整装置は、熱絶縁層、前記第１の熱伝導流体を誘導するためのさらに別の第１の熱伝導体層、および、さらに別のペルチェ素子層を有することができ、このペルチェ素子層は、複数のさらに別のペルチェ素子（６００）を有し、これらのペルチェ素子は、互いに離間して配置されて、それぞれ複数のさらに別のペルチェ素子導体を含む。この場合、前記熱絶縁層を前記積層体において前記第２の熱伝導体層に隣接して配置しておくこと、および、前記さらに別の第１の熱伝導体層を前記積層体において前記熱絶縁層と前記さらに別のペルチェ素子層との間に配置しておくことが可能である。
【００３１】
一実施形態では、温度調整装置が切り替え機構を有し、この切り替え機構は、前記第１の熱伝導流体を前記温度調整装置の第１の動作モードにおいて前記第１の熱伝導体層と前記さらに別の第１の熱伝導体層との中を誘導するように、かつ、前記温度調整装置の第２の動作モードにおいて前記第１の熱伝導体層と前記さらに別の第１の熱伝導体層とのいずれか一方の中を誘導するように構成されている。前記温度調整素子は、フラップとして構成しておくことができる。前記温度調整装置は、前記第１の動作モードにおいて前記第２の動作モードにおけるよりも大きな熱出力を実現することが可能である。有利には、アクティブなペルチェ素子導体には、前記第１の動作モードにおいても前記第２の動作モードにおいても、ペルチェ素子導体を動作させるための最適な電流の強さを有する電流が流通可能である。
【００３２】
一実施形態では、隣接し合って配置されたペルチェ素子層、例えば前記第１のペルチェ素子層と前記第２のペルチェ素子層は、それぞれ異なる個数のペルチェ素子導体またはペルチェ素子を有することができる。代替的または追加的に、隣接し合って配置されたペルチェ素子層におけるペルチェ素子導体またはペルチェ素子の配置は、それぞれ異なっていてもよい。代替的または追加的に、隣接し合って配置されたペルチェ素子層における前記ペルチェ素子導体またはペルチェ素子の延在面積は、それぞれ異なっていてもよい。前記配置、個数および／または大きさを適切に選定することによって、前記ペルチェ素子層内の温度分布を調整することができる。特に、均一な温度分布を実現することが可能である。
【００３３】
本発明の有利な実施例について、以下において、添付した図面を参照しながらさらに詳述する。
【図面の簡単な説明】
【００３４】
【図１】本発明の一実施例に係る温度調整装置を示す概念図である。
【図２】本発明のさらに別の実施例に係る温度調整装置を示す概念図である。
【図３】図２の温度調整装置の細部を示す拡大図である。
【図４】本発明のさらに別の実施例に係る温度調整装置を示す概念図である。
【図５】本発明のさらに別の実施例に係る複数の温度調整装置の直列接続を示す概念図である。
【図６】本発明のさらに別の実施例のペルチェ素子を示す概念図である。
【図７】本発明の一実施例に係るペルチェ素子層を示す概念図である。
【図８】本発明の一実施例に係る温度調整装置を示す概念図である。
【図９】本発明の一実施例に係る温度調整装置の一部分を示す分解図である。
【図１０】本発明の一実施例に係るペルチェ素子層とペルチェ素子とを示す概念図である。
【図１１】本発明の一実施例に係る２つのペルチェ素子層を示す投影図である。
【実施例】
【００３５】
本発明の好ましい実施例についての下記説明では、様々な図面に示された、類似の働きをする要素に対して同一または類似の符号が用いられており、これらの要素について繰り返し説明されることはない。
【００３６】
図１は、本発明の一実施例に係る温度調整装置１００を示す概念図である。前記温度調整装置１００は、ここでは４つの温度調整素子１０５の積層体で形成されている。煩雑にならないように、前記温度調整素子１０５のうちの１つにのみ符号が付されている。また、前記温度調整装置１００は、これよりも多い数または少ない数の前記温度調整素子１０５を有していてもよい。
【００３７】
１つにのみ  図１の前記温度調整素子１０５の各々は、第１のペルチェ素子層１１０、第２のペルチェ素子層１１５、第１の熱伝導体層１２０、第２の熱伝導体層１２５およびさらに別の第２の熱伝導体層１３０を有する。図１では、前記第２の熱伝導体層１２５が前記積層体の基礎部を形成する。この基礎部上に前記第１のペルチェ素子層１１０が配置されており、さらにこの第１のペルチェ素子層上に前記第１の熱伝導体層１２０が配置されている。この第１の熱伝導体層は、前記第２のペルチェ素子層１１５によって覆われており、最後に、この第２のペルチェ素子層上に前記さらに第２の熱伝導体層１３０が存在する。図１では、前記第１のペルチェ素子層１１０と前記第２のペルチェ素子層１１５とは、離間して隣接し合うように配置されたそれぞれ３つの個別のペルチェ素子導体１３５で構成されている。煩雑にならないように、前記ペルチェ素子導体１３５のうちの１つにのみ符号が付されている。図１では、前記第１のペルチェ素子層１１０の前記ペルチェ素子導体１３５はｎ型にドープされており、前記第２のペルチェ素子層１１５の前記ペルチェ素子導体１３５はｐ型にドープされている。
【００３８】
図１の前記温度調整装置１００のこの実施例の場合、前記第１の熱伝導体層１２０は、それぞれ冷却材通路として構成されている。前記第２の熱伝導体層１２５と前記さらに別の第２の熱伝導体層１３０は、それぞれ、２つの並列に配置されたブリッジと前記ブリッジ間に斜めに配置されたフィンとを備えたフィン部材として実施されている。それぞれ２つの隣接し合う温度調整素子１０５の間に、ガルバニック絶縁層１４０が配置されている。煩雑にならないように、前記ガルバニック絶縁層１４０のうちの１つにのみ符号が付されている。任意選択的に、前記フィン部材１３０の前記２つのブリッジのうちの１つは、例えば２つの温度調整素子１０５が前記積層体内で連続している場合にはなくてもよく、これにより、温度調整素子１０５の第２の熱伝導体層１２５が、後続の温度調整素子１０５のさらに別の第２の熱伝導体層１３０に対して隣接して、および、場合によってはガルバニック絶縁層１４０によってのみ分離されて配置されている。ここでは、例えばそれぞれ、前記絶縁層１４０に隣接する前記ブリッジなしで済ますことができる。隣接し合う層が、互いに直接接触していてもよい。
【００３９】
前記温度調整装置１００の図１に示された実施例では、それぞれ、前記第２の熱伝導体層１２５は第１の電気接点１４５を有し、前記さらに別の第２の熱伝導体層１３０は第２の電気接点１５０を有する。前記温度調整素子１０５間に電気的な直列接続を構築するために、それぞれ、温度調整素子１０５の第２の接点１５０が、隣接する温度調整素子１０５の第１の接点１４５に電線１５５を介して接続されている。図１では、前記温度調整装置１００における前記最上部の温度調整素子１０５の前記第１の接点１４５と前記最下部の温度調整素子１０５の前記第２の接点１５０とは、電気の供給線または送出線に接続されており、これにより、前記供給線により前記温度調整装置１００内へ送り込まれた電流が、前記積層体全体の中を流れて、再び送出線を通じてこの積層体から出て行くことができる。
【００４０】
図１の各加熱体あるいは各温度調整素子１０５は、冷却材通路１２０と空気通過部１２５、１３０とを含む。熱は、前記ペルチェ素子１３５を介して前記冷却材と前記ペルチェ素子１３５との間および前記ペルチェ素子１３５と前記フィン付きの空気側１２５、１３０との間を輸送される。前記有利な電気的結合１５５によって、容易に製造可能な構造原理を得ることができる。さらに、前記加熱体１０５は、要求される高い熱伝達範囲において一般に熱伝導特性に好ましくない影響を及ぼす電気絶縁体を必要としない。
【００４１】
前記冷却材通路１２０には冷却材が流通する。これらの冷却材通路には両側において前記ペルチェ素子１３５が接合されており、これにより、伝熱を両方向へ行うことができる。この熱は、前記ペルチェ素子１３５を介して伝達されて、前記フィン付きの空気側１２５、１３０に達し、前記フィン１２５、１３０が空気への伝熱を容易にさせる。この伝熱は、電気的に間断なく導通した状態でも実施される。なぜなら、前記導電性熱伝導体層１２０、１２５、１３０は、金属、例えばアルミニウムで形成されており、前記ペルチェ素子１３５は熱電的にアクティブな機能性材料を含むからである。前記波形フィン１２５、１３０間の中央に前記電気絶縁層１４０が存在する。前記絶縁層１４０による伝熱抵抗があったとしても重要ではない。なぜなら、ここでは対称性に従って、作用原理に基づき垂直方向への伝熱は行われないからである。
【００４２】
図１の前記ペルチェ素子１３５は、それぞれ専らｐ型またはｎ型にドープされて一列（層）に実装されている。前記電気的結合１５５は、温度調整素子１０５の層の数を増大することにより前記温度調整装置１００を垂直方向に拡張することで前記温度調整装置１００における全電圧降下が増大されるように実施される。図１に示された実施例の場合、前記温度調整装置１００は、それぞれ同じ内部構造を備えた温度調整素子１０５の層を４つ含んでいる。一方、前記温度調整装置１００を水平方向に拡張すると、層の全ての素子が電気的に並列に接続されることにより電流の強さが増大される。
【００４３】
図１では、それぞれ、２つの隣接し合う垂直方向の層の前記フィン部材あるいは空気側１２５、１３０は、空気側１２５、１３０に直接接合されたペルチェ素子１３５が異なるドーピングを有するように、この図では「ケーブル」として表された別個の導電体１５５を介して接続されている。前記同じ冷却材通路１２０に接合されたペルチェ素子１３５の２層間の接続は、前記冷却材通路１２０自体が導電性を有するので、別個の導体によって橋絡される必要がない。
【００４４】
当然ながら、構成によっては、直接的に隣接していない層を互いに結合することも可能であろうが、隣接し合う層の方が、必要とされる電線の長さが最短となるので容易に利用でき、好ましい。同様に、温度調整素子層１０５を１８０°回転させることで、一方のドーピングが常に上に位置し、もう一方のドーピングが常に下に位置することがないようにすることも可能である。しかし、図１に示された、温度調整素子１０５の層が常に同じである配置の方が、製造時の不良回避に有用である。前記電気接続部１４５、１５０は、図１に示されているように、接続原理にスムーズに適合させるのに適している。上述したように、温度調整素子１０５の層の数によって前記加熱体１００における電圧降下の範囲は決定される。この範囲が、前記加熱体１００の所定のレベルの場合に大きすぎるとき、前記電気的結合をさらに別の電気供給線によって中断することができる。一実施例では、図１の加熱体部分を精密に複製し、それを既存の加熱体部分の上に載設することができる。その場合、分離は純粋に電気的なものであろうし、機械的な接合は、その他の層間の接合と同様に実施することができるであろう。しかし、むしろ予想されることは、例えば、車両の低電圧車載電源システムにおける１２∨の電圧のように、電圧源により提供される電圧を可能な限り完全に取り出す必要がある場合に、電圧降下が小さすぎることであろう。この場合、前記空気側における自由な流れ断面が維持し続けられるように、複数のこの種の加熱体１００を、従来利用されていなかった奥行き寸法において一列状に配置することにより電気的な直列接続を拡張することも可能である。本発明に係る方法のこの態様については、図５との関連で説明される。
【００４５】
もう一度、前記温度調整装置１００の図１に示された実施例に関して要約すると、電流の流れは以下のように説明できる。すなわち、電流は、同型のドーピングを有する一連のペルチェ素子１３５を並列接続において通過し、前記冷却水通路１２０にまで流れ、この冷却材通路を介して、同様に列状に接続されている他の型にドープされた一連の素子１３５に達する。前記空気側１２５に、すなわちここでは、例えばろう接により施着されたフィンを備えたフィン部または基板に、別個の、場合によっては任意に実施された導体１５５への電気接続部１５０が存在し、この導体を通じて、別の層１０５における、例えばろう接により施着されたフィンを備えた前記フィン部または前記基板１３０の中へ電流が流れる。それぞれ、電気的な直列接続において隣接し合う素子は、ドーピングの型が交互に入れ替わる。
【００４６】
図２は、本発明のさらに別の実施例に係る温度調整装置２００を示す概念図である。前記温度調整装置２００は、図１の温度調整装置１００とほぼ同一の構造を有するが、各温度調整素子１０５が前記冷却材通路１２０を迂回するための外側の電気接続部２０５を有する点が異なっている。煩雑にならないように、前記電気接続部２０５のうちの１つにのみ符号が付されている。前記電気接続部２０５を用いる理由は、一般に純粋に有機的な冷却材は用いられず、ある程度水分が含まれた冷却材が用いられるという事実による。これにより、前記冷却材は導電性を有するので、図１の温度調整装置内で使用する場合、電圧差にさらされることになるであろう。このことは、前記冷却材通路１２０を前記電流カスケードから外へ取り出すことによって回避することができる。それに応じて、例えば、前記冷却材管１２０上に非導電体が薄い層状に施着されており、これにより、熱輸送抵抗が可能な限り小さくなる。また、その上には、好ましくは連続的な導体層が施着されている。従って、前記冷却材通路１２０自体は無電位のままであるが、導体層の施着のために前記別個の導体２０５によって迂回されねばならない。このことはまた空気側１２５、１３０にも当てはまる。前記導体２０５は、図２に示された実施態様とは異なる実施態様を有することも可能である。
【００４７】
図３は、図２に示された実施例に係る冷却材通路１２０の構造を示す詳細拡大図である。ここでは、前記冷却材通路１２０の一部分が長手方向断面図として示されている。絶縁体からなるガルバニック絶縁層３０５が前記冷却材通路１２０上に付着されており、これにより、管壁３１０へ伝えられた電圧が、前記冷却材通路１２０を流通する冷却流体へ伝えられることはない。前記ガルバニック絶縁層３０５全体にわたって、導電体からなる導体層３１５が付着されている。また、前記導体層３１５は集電体３２０への電気接点を有し、この集電体が電流をここから取り出して、別の場所から前記導体層３１５に再び供給することができ、これにより、前記冷却流体は電流の流れから除外され続ける。前記管壁３１０は、例えばアルミニウムで形成しておくことができる。
【００４８】
図４は、温度調整装置４００の代替的な実施例を示す概念図である。前記温度調整装置４００は、３つの温度調整素子４０５の垂直積層体を含む。これらの温度調整素子は、図１との関連で説明された温度調整素子とは異なる構造を有する。ここでは、前記第１の熱伝導体層１２０の他に前記第２の熱伝導体層１２５も、前記第１のペルチェ素子層１１０と前記第２のペルチェ素子層１１５との間に配置されている。前記第１の熱伝導体層１２０と前記第２の熱伝導体層１２５との間に、ガルバニック・熱絶縁層４１０が存在する。前記ガルバニック・熱絶縁層４１０は、前記フィン部材１２５用または前記フィン部材１３０用の任意選択的なブリッジを有することができる。図１との関連で説明されたガルバニック絶縁層は、ここでは用いられない。ここに示された実施例の場合、前記温度調整素子４０５はさらに別の第１の熱伝導体層４１５を有し、この熱伝導体層は前記温度調整素子４０５の基礎部を形成する。ここでは、前記第１の熱伝導体層１２０は前記第１の電気接点１４５を有し、前記さらに別の第１の熱伝導体層４１５は前記第２の電気接点１５０を有する。さらに、各温度調整素子４０５の前記第２の熱伝導体層１２５は、電線４２０を介して前記さらに別の第２の熱伝導体層１３０に接続されている。
【００４９】
図４では、図１との関連で説明された実施例とは異なり、それぞれ低温側および高温側において片側の伝熱しか存在しない。従って、前記絶縁層４１０は、もう一方の側において低電圧に対して電気絶縁性を有するだけでなく、熱絶縁性も有している。それに応じて、前記絶縁層４１０の厚さが、ここではより大きくなる可能性がある。ここでは、隣接し合う層の前記空気側１２５、１３０は、前記電線４２０を介して電気的に互いに接続されている。同様に、隣接し合う層の前記冷却水側１２０、４１５は、直接的に接続されておらず、前記空気側に類似して別個の導体４２５を介して間接的に電気的に互いに接続されている。また、この接続は、２つの電気的に互いに接続された層１２０、４１５あるいは１２５、１３０が有する、層内において同一にドープされているペルチェペレット１３５のドーピングの型が、交互に入れ替わるように実施される。
【００５０】
上記の図１〜４を用いて説明された諸実施例との関連において強調されることは、ここに提示された方法では、絶対的な順序、すなわち所定のドーピング（ｐ型またはｎ型）を備えた直列接続の始端と終端、および、各空間方向におけるペルチェ素子の個数が、原則として定められていないままであるということである。同様に、動作が、空気が加熱されるヒートポンプとしての動作であるか、空気が冷却される空調設備としての動作であるかも定められていない。前記それぞれの機能は、極性反転によって切り替えることができる。
【００５１】
図５は、図１〜４の温度調整装置１００、２００または４００が水平方向に拡張された電気的な直列接続５００の実施例を示す概念図である。前記複数の温度調整装置１００、２００または４００は、簡略化した形で示されている。図５では、前記温度調整装置１００、２００または４００は、一平面に、矢印により示された奥行き方向５１０に互いに前後に並べて配置されている。使用場所の構造上の条件に応じて、ここに示された前記配置５００をさらに別の温度調整装置１００、２００または４００を加えて拡張することも可能である。前記個々の温度調整装置１００、２００または４００は、導電可能に互いに接続されており、これにより、電流を前記配置５００全体に流通させることができる。前記電気接続部は図５には示されていない。もう１つの矢印は、例えば前記温度調整装置１００、２００または４００の前記第２の熱伝導体層および前記さらに別の第２の熱伝導体層の中を誘導される熱伝導流体の流れ方向５２０を示す。この熱伝導流体は例えば空気であってもよい。
【００５２】
温度調整装置１００、２００または４００の図１〜４に提示された諸実施例の代替例として、本発明に係る温度調整装置のさらに別の実施例は、ペルチェ素子層を有し、このペルチェ素子層が複数のペルチェ素子を有し、またこれらのペルチェ素子が複数のペルチェ素子導体を有する。従って、純粋なｎ型ドープまたはｐ型ドープの素子１３５の代わりに、外面上幾何形状的に同一である素子であって、それ自体の中に、ｎ型およびｐ型の直列接続されたチップの、任意の平面的な微細構造を有する素子を用いることが可能である。
【００５３】
図６は、この種のペルチェ素子６００を示す概念図である。ペルチェ素子導体１３５の水平方向の配置が示されている。この場合、それぞれｎ型にドープされたペルチェ素子導体とｐ型にドープされたペルチェ素子導体とが、一平面に交互に配置されている。隣接し合って配置されて互いに異型にドープされたペルチェ素子導体１３５が、それぞれ交互に、高温側では導電体６０５を介して、低温側ではさらに別の導電体６０５を介して互いに接続されている。前記それぞれの導電体に対向する高温側あるいは低温側に、前記導電体６０５の中断部６１０が存在する。ペルチェ素子導体１３５の前記層の上方および下方に、それぞれ電気絶縁体６１５が配置されている。
【００５４】
本発明に係る温度調整装置の一実施例は、図１〜４に示された温度調整装置１００、２００、４００の前記原理に従って構成しておくことができるが、しかし、この場合、前記ペルチェ素子６００が利用される。電流の流れが、このように構成された温度調整装置の前記積層体全体の中を通ることが保証されるように、ここでは、図示された前記実施例１００、２００、４００とは異なり、各ペルチェ素子６００が電流用の供給線および送出線を有する。図１〜４の実施例とは異なり、ここでは、電流は垂直方向ではなく水平方向に前記それぞれのペルチェ素子６００の中を流れる。個々のペルチェ素子６００間は直列に接続すること、または、並列接続にすることが可能であり、並列接続の場合、各ペルチェ素子６００は、車両の中央電源部、通例はカーバッテリの中央電源部に接続されており、これにより、前記温度調整装置の前記積層体全体にわたって１２∨の電圧降下が保証されている。
【００５５】
前記ペルチェ素子６００が用いられる一実施例では、電流は、前記積層体全体、特に前記熱伝導体層を通過せず、専ら前記ペルチェ素子層の中だけを通過する。前記個々のペルチェ素子層は、それぞれ並列または直列に接続しておくことができる。
【００５６】
前記ペルチェ素子６００における電圧降下次第では、前記諸列の間にここで述べられた電気的結合を利用することが可能となり、これにより、前記加熱体にわたる前記電圧降下全体をさらに増大させることができるであろう。あるいは、例えば、従来の機能のとおりに、前記ペルチェモジュール６００の微細構造が既に１２∨の電圧降下を生じる場合、熱電素子６００を備えた各列を単独で個別回路として容易に扱うことができる。例えば、ｎ型またはｐ型のチップあるいはｎ型またはｐ型のペルチェ素子導体は、０．０６２５∨の電圧降下を有することができる。従って、１６個のチップの場合、１つのペルチェ素子に関して１Ｖが生じる。前記加熱体が１２個の直列に接続された列を有する場合、全部で１２∨の電圧降下が実現されるであろう。
【００５７】
図７は、本発明の一実施例に係る平面層、特にペルチェ素子層７１０を示す斜視図である。前記ペルチェ素子層７１０は複数のペルチェ素子６００を有する。前記ペルチェ素子６００は、それぞれ、例えば図６に示されているようなモジュールであってもよい。前記個々のペルチェ素子６００は、それぞれ、熱絶縁された中間スペース７１２によって互いに分離されている。熱流の方向が矢印によって示されている。
【００５８】
図８は、本発明の一実施例に係る温度調整装置８００を示す模式図である。前記温度調整装置は、例として１つの空気通路に符号１２５が付された熱伝導体層と、例として１つに符号７１０が付されたペルチェ素子層とからなる積層体を有する。この実施例では、矢印によって示されているように、高温の空気が前記温度調整装置８００の中へ流入し、低温の空気が前記温度調整装置８００から流出する。これが意味することは、前記ペルチェ素子が、前記空気通路１２５を冷却するように配置されているということ、あるいは、そのように動作するということである。それに対して、前記温度調整装置８００の、例えば冷却材が流通可能なさらに別の熱伝導体層の場合には加熱される。
【００５９】
図９の左側は、本発明の一実施例に係る、図８に示された温度調整装置の層を示し、右側はこの層の分解図を示す。示されているのは、第１の熱伝導体層１２０、２つの第２の熱伝導体層１２５および２つのペルチェ素子層７１０からなる積層体構造である。前記ペルチェ素子層７１０は、それぞれ、前記第１の熱伝導体層１２０と前記第２の熱伝導体層１２５の一方との間に配置されている。前記第１の熱伝導体層１２０は、扁平な冷却材通路の形態に構成されており、この冷却材通路を冷却材９５０が流通する。前記ペルチェ素子層７１０は、電気接触部と材料結合による電気絶縁部とを備えたペルチェ層として形成しておくことができる。
【００６０】
図１０は、本発明の一実施例に係るペルチェ素子層７１０と詳細に表されたペルチェ素子６００とを示す。前記ペルチェ素子層７１０は、図９で用いられているペルチェ層であってもよい。
【００６１】
占有率εは１０％以下であることが可能である。すなわち、
ε＝（ペルチェ素子６００の総面積）／（層７１０の面積）≦１０％
前記ペルチェ素子６００は基板と蓋板とを有し、これらの間に複数のペルチェ素子導体が配置されている。前記ペルチェ素子導体の前記配置は、図６に示された配置に従って実施しておくことが可能である。
【００６２】
図１０に示された実施例では、ドープされたペレットに代わり、素子６００全体が層７１０内に設けられる。この場合、層７１０の面積の最大１０％が、ペルチェ素子６００に占有されている。従って、統合平面は、ドープされたｐ型およびｎ型のペレットには位置せず、独自の微細構造、すなわちｐ型およびｎ型を有する調達素子全体を内設することができる。前記微細構造はペレットで構成しておいてもよい。結合されたペレットの代わりに、例えば蒸着された導電路またはファブリックを用いることも可能である。
【００６３】
一実施例では、本発明の方法を、熱電性の加熱機器および空調機器において利用することができる。モジュール構造の機器は、キャビンの空気を加熱または冷却するために用いられる。熱の受け取りあるいは熱の引き渡しは、車両、好ましくは電気車両の低温回路を介して行われる。従来利用可能な熱電材料を用いても有益であるように、前記機器の基本構造は、最上の伝熱が得られるように構想されている。
【００６４】
電気車両では、有意なエンジン廃熱を利用することができないので、キャビンを加熱することは難題である。電気抵抗加熱器は、電池内に蓄積された電流をＣＯＰ＝１（英：Ｃｏｅｆｆｉｃｉｅｎｔ  ｏｆ  Ｐｅｒｆｏｒｍａｎｃｅ、成績係数）で熱に変換し、航続距離をかなり低減させる。より効率が良いのは、ＣＯＰ＞１で動作し、熱を一部は電流から、また一部は周囲または低い温度レベルの廃熱源から得るヒートポンプである。冷却材ヒートポンプを利用する以外に、可動部材も冷却材もなしで効果を得られる熱電材料も適している。理想的な状態は、同じ熱電素子を用いることでキャビンの冷却機能（夏季モード）も担うことができる場合であろう。この場合、冷凍回路全体が必要ではなくなり、機械技術的な変更を伴うことなく、印加されている電圧の極性反転によって加熱と冷却との切り替えが実現されるであろう。
【００６５】
本発明に係る方法によって、「キャビンの加熱」という機能をＣＯＰ＞１で実現すること（ヒートポンプ運転）、および、冷却運転への電気的な切り替えによって別個の冷凍回路をなくすことが可能となる。この場合、冷却運転におけるＣＯＰは、冷凍回路のＣＯＰより劣ってはならない。
【００６６】
ペルチェ効果を利用する加熱・空調機器の主要な特徴は、流体と熱電素子の熱的に結合された側面との間において可能な限りの僅かな温度差を用いることで、伝熱量が明確に増大されることである。熱交換器の効率は直ぐにその限界に達するので、解決策が、伝達される熱流密度を大きく低減することによって僅かな駆動温度差を生じさせることであることに変わりはない。温度差が大きくなるほどＣＯＰが低下するという関係は、冷凍回路の場合よりも熱電系においてかなり顕著に現れる。これは、ペルチェ素子の高温側と低温側との間で、自然な熱流方向において不所望な熱伝導が生じるためである。ここでは冷却運転において、僅かな温度差が、許容範囲内の使用と、有益でない構成または物理的に不可能な構成との間の差を生み出す可能性がある。なぜなら、以下のフィードバックメカニズムが存在するからである。すなわち、ＣＯＰが悪化すると、廃熱側における発熱量が増大して、そこでの温度が上昇し、これがまたＣＯＰを悪化させて、廃熱側における所要電力および発熱量をさらに増大させるのである。
【００６７】
出力密度の低減時、熱電素子への通電量を容易に低減することはできない。なぜなら、ここではＣＯＰが大きく悪化し、前記熱電素子が高温側と低温側との間の不所望な熱橋として維持され続けるからである。用いられる半導体は、一般に一桁レベルの熱伝達率（Ｗ／ｍ２Ｋ）を持つ。その代わりに、ペルチェ素子には、算定できる最適な電流の強さ、または、特性マップとして格納できる最適な電流の強さを印加しなければならず、ペルチェ素子は、出力密度を低減する際、それらの各取り付け平面層のただ僅かな面積部分を占めることしか許されない。熱電材料により占有されていない面積部分は、例えば、図７に示されているように絶縁材料、空気または気体を充填することができる。
【００６８】
全体で許容範囲内の体積出力密度が利用可能となるように、かつ、図８に示されているような組み合わされた加熱・冷却機器の構造が大きくなりすぎないように、ペルチェ素子の平面層における小さな出力密度は、残余寸法において層を可能な限り近接して連続させることより補償しなければならない。空気通路は、図８ではフィンが示されていが、当然ながらフィンを有している。
【００６９】
前記望ましい利点および効果を、図８に示されているようなキャビンの空気および冷却材の流れを逆流案内することによって増大させること、および、図９に示されているように、個々の層を材料結合により接合することによって増大させることができる。例えば、非常に薄い電気絶縁層を材料結合によって付着させることが可能である。理想的には、各層において、それぞれ各側面に向かって続く層、すなわち、ペルチェ素子→導電体→電気絶縁体→流路（冷却材側または空気側）底部が、材料結合により接合されており、かつ、それらの役割を果たすために必須であるような厚さにしかならないように実施されている。前記冷却材通路１２０は、バッフル、タービュレータ等を装備しておくことが可能であるが、この冷却材通路は、図９に示されているように、両側において熱電素子に熱的に結合されている。この構成の更なる利点は、モジュール構造であることであり、また、この構造により、層の数を然るべく適合させることによって、および、平面の寸法を適切に選択することによって分散構成要素を開発することが可能となり、これらの分散構成要素を前部領域または後部領域における対応する流出開口部の近傍に設置できることである。
【００７０】
低温モードにおいて、冷凍能力１２００Ｗ、吹き出し温度１５℃、冷却材温度３５℃、寸法１５０×１５０×３００ｍｍ３、冷却材層数１０、実際的な空気および冷却材の流れ、および、適切な熱電材料という条件を備えている場合、１≧ＣＯＰ＝ＱＫａｅｌｔｅ／Ｐｅｌｅｋｔｒｉｓｃｈ＝２が実現可能である。
【００７１】
前記加熱・冷却体は、１つまたは複数の重要な動作点における最大ＣＯＰに可能な限り良好に近似できるように設計される。電力需要が僅かである場合、すなわち、通電量が低減されている場合、ペルチェ素子が次第に自然の熱橋として作用するので、ＣＯＰは悪化するであろう。従って、個々の層は、ある一定の電力レベルを下回った後、空気の流れから電気的に分離されるだけでなく、例えばフラップが入口を閉鎖することによって熱的にも分離される。この分離は、ある一定数の個別層に関して、あるいはまた、複数の層の全体にわたって実現することが可能である。分離の段階をより細密にすると、動作サイクル全体にわたるＣＯＰが改善され、また、この段階をより粗くすると、製造コストが低減される。
【００７２】
例えば、１つの加熱・冷却体には、１２個の層を設けておくことができる。そのうち全部で６つの層において、それぞれ３つの層を共通にそれぞれ空気側で閉鎖することができる。従って、２つのフラップが必要とされる。そのため、同時に流通される層の数は、次のような値、すなわち、２つのフラップが閉じられている場合は６層、１つのフラップが閉じられている場合は９層、全てのフラップが開いている場合は１２層となり得る。
【００７３】
さらに、この構成要素の寸法は、ヒートアップ時あるいはクールダウン時、すなわち昇温時および降温時に、これらの段階において達成されるＣＯＰに依存せずに、必要な加熱出力あるいは冷却出力が得られるように設定する必要がある。
【００７４】
図１１は、本発明の一実施例に係る２つの隣接し合うペルチェ素子層を示した、図平面に対して垂直方向の投影図である。示されているのは前方のペルチェ素子層、すなわち図１１では上方の層であり、模式的に示された複数のペルチェ素子６００を備えている。煩雑にならないように、前記複数のペルチェ素子６００のうちの１つにのみ符号６００が付されている。さらに、模式的に示された複数のペルチェ素子１６００を備えた後方のペルチェ素子層が示されている。前記ペルチェ素子１６００は破線によって示されている。ここでも、煩雑にならないように、１つにのみ符号１６００が付されている。
【００７５】
この実施例では、前記前方のペルチェ素子層と前記後方のペルチェ素子層とが、異なる個数のペルチェ素子６００、１６００を有する。例として、前記前方のペルチェ素子層は１６個のペルチェ素子６００を有し、前記後方のペルチェ素子層は９個のペルチェ素子１６００を有する。さらに、前記前方のペルチェ素子層上における前記ペルチェ素子６００の配置は、前記後方のペルチェ素子層上のペルチェ素子１６００の配置とは異なっている。示されているのは、ずらした配置であり、この配置の場合、ペルチェ素子６００の横列または縦列が、ペルチェ素子１６００の横列または縦列と交互に入れ替わる。この場合、前記ペルチェ素子６００は、前記ペルチェ素子１６００との重なり領域を有していない。この実施例では、前記ペルチェ素子６００と前記ペルチェ素子１６００とは、それぞれ同じ大きさを有する。前記ペルチェ素子６００、１６００は、同一のものであってもよい。あるいは、前記ペルチェ素子６００、１６００が、異なる大きさを有することも可能である。
【００７６】
理想的には、それぞれペルチェ素子層の表面は均一の温度分布を有する。しかし、実際には、熱源あるいはヒートシンクとなる前記ペルチェ素子６００、１６００には、最高温度位置あるいは最低温度位置、すなわちいわゆるホットスポットとコールドスポットとが現れる。これが生じるのは、水平方向の熱伝導が限定されているためである。ペルチェ素子６００、１６００の平面的な配置と個数、および、追加的または代替的に前記ペルチェ素子６００、１６００自体の大きさは、２つの隣接し合うペルチェ素子層の間で異なっていてもよい。このことがもたらし得る利点は、ホットスポットあるいはコールドスポットの形成を低減させることであり、この利点は、例えばフィン部、タービュレータまたは流体に対して作用する熱源あるいはヒートシンクの個数、すなわち図１１に示された、両ペルチェ素子層の概念上の垂直方向の投影図における投影面に対して作用する熱源あるいはヒートシンクの個数が増大し、熱源あるいはヒートシンクの距離が小さくなることによってもたらされる。
【００７７】
前述の諸実施例は、単に例示のために選択されているにすぎず、互いに組み合わせることも可能である。特に、個々のペルチェ素子導体で構成されたペルチェ素子層を備えている前記諸実施例と、ペルチェ素子で構成されたペルチェ素子層を備えている前記諸実施例とを組み合わせることが可能である。この場合、前記ペルチェ素子層の前記電気的結合をそれぞれ然るべく適合させることが可能である。
【符号の説明】
【００７８】
１００  温度調整装置（加熱体）
１０５  温度調整素子
１１０  第１のペルチェ素子層
１１５  第２のペルチェ素子層
１２０  第１の熱伝導体層（冷却材通路、冷却水通路、冷却材管、冷却水側）
１２５  第２の熱伝導体層（フィン部材、空気側、空気通過部）
１３０  さらに別の第２の熱伝導体層（フィン部材、空気側、空気通過部）
１３５  ペルチェ素子導体
１４０  ガルバニック絶縁層（電気絶縁層）
１４５  電気接点（電気接続部）
１５０  電気接点（電気接続部）
１５５  電気的結合（導体）
２００  温度調整装置
２０５  電気接続部
３０５  ガルバニック絶縁層
３１０  管壁
３１５  導体層
３２０  集電体
４００  温度調整装置
４０５  温度調整素子
４１０  ガルバニック・熱絶縁層
４１５  第１の熱伝導体層（冷却水側）
４２０  電線
５００  配置
５１０  奥行き方向
５２０  流れ方向
６００  ペルチェ素子（ペルチェモジュール）
６０５  導電体
６１０  中断部
６１５  電気絶縁体
７１０  ペルチェ素子層
７１２  中間スペース
８００  温度調整装置
９５０  冷却材
１６００  ペルチェ素子
【図１】
2013524498.tif 000003
【図２】
2013524498.tif 000004
【図３】
2013524498.tif 000005
【図４】
2013524498.tif 000006
【図５】
2013524498.tif 000007
【図６】
2013524498.tif 000008
【図７】
2013524498.tif 000009
【図８】
2013524498.tif 000010
【図９】
2013524498.tif 000011
【図１０】
2013524498.tif 000012
【図１１】
2013524498.tif 000013
【国際調査報告】
2013524498.tif 000014
2013524498.tif 000015
2013524498.tif 000016
2013524498.tif 000017